(57)【要約】      （修正有）【課題】口筒が風船本体から外れたり口筒を誤飲する恐れがなく、且つ、構造が簡単で組立も容易な口筒付き風船を提供する。【解決手段】風船本体１０の口巻きを、樹脂製の口筒２０の外周に設けた凹部からなる口巻き取付部に装着してなる口筒付き風船１である。口筒２０は、筒状で外周に口巻き取付部を形成した口筒本体３０と、口筒本体３０の外周に取り付けられ、口巻き取付部に装着した口巻きの外周を覆ってその離脱を防止する口巻き覆い部材７０とを具備する。口巻き覆い部材７０の複数本の係止爪を口筒本体３０の係止部に係止することで、両者を一体化する。【選択図】図１
0003190100.tif 000002
【実用新案登録請求の範囲】
【請求項１】
風船本体の口巻きを、樹脂製の口筒の外周に設けた口巻き取付部に装着してなる口筒付き風船において、
前記口筒は、筒状で外周に前記口巻き取付部を形成した口筒本体と、
前記口筒本体の外周に取り付けられ、前記装着した口巻きの外周を覆ってその離脱を防止する口巻き覆い部材と、
を具備することを特徴とする口筒付き風船。
【請求項２】
請求項１に記載の口筒付き風船であって、
前記口巻き取付部は、前記口筒本体の外周に設けたリング状の凹部によって構成され、
且つこの凹部内の対向する側壁の内の一方の側壁を、前記口巻き覆い部材に設けた係止爪を係止する係止部としたことを特徴とする口筒付き風船。
【請求項３】
請求項２に記載の口筒付き風船であって、
前記係止爪は、前記口巻き覆い部材の内周側に突出するように、所定の間隔で複数本リング状に設けられていることを特徴とする口筒付き風船。
【請求項４】
請求項２又は３に記載の口筒付き風船であって、
前記口巻き取付部を構成する凹部内の前記一方の側壁の外径寸法よりも、これに対向する他方の側壁の外径寸法を大きくすることで、この他方の側壁をストッパ部とし、前記口巻き覆い部材を前記一方の側壁側から口筒本体の外周に挿入してその係止爪を前記係止部に係止させる際に、このストッパ部を前記口巻き覆い部の端面に当接させてその移動を阻止することを特徴とする口筒付き風船。
【考案の詳細な説明】
【技術分野】
【０００１】
本考案は、風船の口巻き部分に樹脂製の口筒を取り付けてなる構造の口筒付き風船に関するものである。
【背景技術】
【０００２】
プロ野球の球場などで観戦する際の応援方法として、内部に空気を入れた状態で細長い形状の風船を一斉に空中に飛ばすことが広く行われている。即ち、空気を入れて膨らました状態の風船の空気取入口を手で塞いで空気が流出しないように保持しておき、タイミングを見計らって上方に放出することで空気取入口から空気を噴出させ、その噴出力を推進力として空中に飛ばすものであり、風船をいっせいに空中に飛ばすことで選手達を鼓舞して試合を盛り上げるようにしている。
【０００３】
風船の口巻きには、一般に笛機能を有する樹脂製で筒状の口筒が取り付けられ、この口筒から空気が噴射される際に音が発生するようになっている。以下この種の風船を「口筒付き風船」という。風船への口筒の取り付けは、例えば特許文献１に示すように、口筒の外周側壁に設けたリング状の凹部内に、風船の口巻き部分を挿入することによって行われる。即ち、口筒の凹部内に挿入された風船の口巻きの弾性収縮力により、口筒の周囲を強く締め付け、これによって風船に口筒を固定している。
【０００４】
ところで、上記口筒付き風船を膨らませるためには、空気ポンプを使用する方法もあるが、多くの場合は口筒を口でくわえて息を吹き込む方法が行われている。
【先行技術文献】
【特許文献】
【０００５】
【特許文献１】実用新案登録第３１５３５８１号公報
【考案の概要】
【考案が解決しようとする課題】
【０００６】
しかしながら、上記従来例の場合、口筒は、その外周側壁の凹部内に、風船の口巻きを挿入して口筒の周囲を強く締め付けることによって風船に固定されているだけなので、風船と口筒間を強く引っ張ると、口筒が風船から外れてしまう恐れがあった。
【０００７】
そして例えば、この口筒を口でくわえて風船内に息を吹き込んでいる際に、口筒が風船から外れると、口筒を誤飲する可能性も生じるので、その対策が望まれていた。
【０００８】
本考案は上述の点に鑑みてなされたものでありその目的は、口筒が風船から外れることがなくて誤飲の恐れがなく且つ構造が簡単で組立も容易な口筒付き風船を提供することにある。
【課題を解決するための手段】
【０００９】
本考案は、風船本体の口巻きを、樹脂製の口筒の外周に設けた口巻き取付部に装着してなる口筒付き風船において、前記口筒が、筒状で外周に前記口巻き取付部を形成した口筒本体と、前記口筒本体の外周に取り付けられ、前記装着した口巻きの外周を覆ってその離脱を防止する口巻き覆い部材と、を具備していることを特徴としている。
口筒本体の外周に装着した口巻きを、口巻き覆い部材が覆う構成なので、口筒から口巻きが離脱することを確実に防止できる。これによって口筒を誤飲する恐れを確実に防止できる。また口筒本体の外周に口巻き覆い部材を装着するだけで良いので、構造が簡単で組立も容易に行える。
【００１０】
また本考案は、上記口筒付き風船であって、前記口巻き取付部は、前記口筒本体の外周に設けたリング状の凹部によって構成され、且つこの凹部内の対向する側壁の内の一方の側壁を、前記口巻き覆い部材に設けた係止爪を係止する係止部とすることが好ましい。
口巻き取付部の一方の側壁を係止部として、この係止部に口巻き覆い部材の係止爪を係止するだけで両者を一体化できるので、口筒本体への口巻き覆い部材の装着が容易に行える。
【００１１】
また本考案は、上記口筒付き風船であって、前記係止爪は、前記口巻き覆い部材の内周側に突出するように、所定の間隔で複数本リング状に設けられていることが好ましい。
これによって、口筒本体へ口巻き覆い部材を装着する際に係止爪が外方に広がり易くなり（広がる弾性力が大きくなり）、より口巻き覆い部材の口筒本体への装着が行い易くなる。さらに口巻きには、係止爪のある部分と無い部分による連続する凹凸が押し付けられるため、口巻きの回転方向の滑りも確実に防止できる。さらに口巻きにはその太さの太いものと細いもののバラつきが大きいが、前記凹凸の凹部の空間でそのバラツキが吸収できる。このため前記口巻きのバラつきに容易に対応でき、例えば口巻きが太いので口巻き覆い部材が装着し難くなったり、逆に口巻きが細いので口筒から口巻きが離脱し易くなったりすることも防止できる。
【００１２】
また本考案は、上記口筒付き風船であって、前記口巻き取付部を構成する凹部内の前記一方の側壁の外径寸法よりも、これに対向する他方の側壁の外径寸法を大きくすることで、この他方の側壁をストッパ部とし、前記口巻き覆い部材を前記一方の側壁側から口筒本体の外周に挿入してその係止爪を前記係止部に係止させる際に、このストッパ部を前記口巻き覆い部の端面に当接させてその移動を阻止することが好ましい。
これによって、口巻き覆い部材を口筒本体の外周に挿入してその係止爪を係止部に係止する際に、勢い余って、挿入した口巻き覆い部材が口筒本体の外周を通り抜けてしまう恐れを確実に防止できる。
【考案の効果】
【００１３】
本考案にかかるに口筒付き風船によれば、口筒が風船から外れることがなくて誤飲の恐れがなく且つ構造が簡単で組立も容易に行える。
【図面の簡単な説明】
【００１４】
【図１】口筒付き風船１の口筒２０近傍部分の要部概略斜視図である。
【図２】口筒付き風船１の口筒２０近傍部分の縦断面図である。
【図３】口筒付き風船１の口筒２０近傍部分の分解斜視図である。
【図４】口筒付き風船１の口筒２０近傍部分の分解縦断面図である。
【図５】口筒本体３０の分解斜視図である。
【図６】風船本体１０への口筒２０の取付方法説明図である。
【考案を実施するための形態】
【００１５】
以下、本考案の実施形態を図面を参照して詳細に説明する。
図１は本考案の一実施形態にかかる口筒付き風船１の口筒２０近傍部分の要部概略斜視図、図２は口筒付き風船１の口筒２０近傍部分の縦断面図、図３は口筒付き風船１の口筒２０近傍部分の分解斜視図、図４は口筒付き風船１の口筒２０近傍部分の分解縦断面図である。なお以下の説明においては、口筒２０から風船本体１０を見る方向を「上」、その反対方向を「下」ということとする。
【００１６】
これらの図に示すように、口筒付き風船１は、天然ゴム等の伸縮性のある材料からなる風船本体１０と、風船本体１０の口巻き１１に取り付けられる口筒２０とを具備して構成されている。
【００１７】
風船本体１０は、空気が注入されると図１に示すように膨らみ、その上部は、図示しないが、細くて長い略円筒状の形状になる。但し、風船本体１０の形状は上記のものに限定されるものではなく、各種の変更が可能であり、どのような形状であっても良い。風船本体１０の空気を注入する口巻き１１は、リング状に形成され、所望の太さを有している。
【００１８】
口筒２０は、筒状の口筒本体３０と、前記口筒本体３０の一方の端部側（図では下側）から装着されるリング状の口巻き覆い部材７０とを具備して構成されている。なお口筒本体３０の口巻き覆い部材７０を装着する反対の端部側（上側）からは、風船本体１０の口巻き１１部分が装着される。
【００１９】
図５は口筒本体３０の分解斜視図である。図５，図４に示すように、口筒本体３０は、第１本体部３１と第２本体部５１とを一体にすることで構成され、一体化した口筒本体３０は、図２に示すように、全体として円筒状であって、その両端面が薄板状の覆い部３３，５３によって覆われ、さらに覆い部３３，５３の中央に円形の開口３５，５５を設けて構成されている。さらに口筒本体３０の外周面には、半径方向外方に向けて突出する一対のリング状（鍔状）の突出部３７，５７が所定の間隔で形成されており、これによって両者の間に形成されるリング状の凹部を口巻き取付部２１としている。一方、上側の突出部５７の外径寸法は、下側の突出部３７の外径寸法よりも大きく形成されている。そして、口巻き取付部２１を構成する凹部内の一方の側壁（突出部５７側の側壁）の外径寸法を、これに対向する他方の側壁（突出部３７側の側壁）の外径寸法よりも大きくすることで、この一方の側壁（突出部５７側の側壁）をストッパ部５９とし、他方の側壁（突出部３７側の側壁）を係止部３９としている。
【００２０】
口筒本体３０を構成する第１本体部３１は合成樹脂の成形品であり、円筒状の第１側壁部４１の一方の開口側に前記覆い部３３及び開口３５を設け、また第１側壁部４１の外周に前記突出部３７を設け、さらにこの突出部３７の第２本体部５１側の面に筒状の口巻き支持部４３を設けている。口巻き支持部４３の内径寸法は、前記第１側壁部４１の外径寸法よりも所定寸法大きく、両者の間にはリング状の凹部からなる挿入部４５が形成される。また口巻き支持部４３の先端は、第１側壁部４１の先端よりも第２本体部５１側に突出している。
【００２１】
第２本体部５１は合成樹脂の成形品であり、円筒状の第２側壁部６１の一方の開口側に前記覆い部５３及び開口５５を設け、また第２側壁部６１の外周に前記突出部５７を設けて構成されている。第２側壁部６１の内周面には段部６３が設けられており、その下側の内径寸法の方がその上側の内径寸法よりも大きくなるようにしている。
【００２２】
そして、第１本体部３１の挿入部４５内に、第２本体部５１の第２側壁部６１を圧入（挿入）すれば、図２に示すように、両者は一体に固定され、口筒本体３０が構成される。即ち、第２側壁部６１の段部６３より下端側部分の厚み寸法を、挿入部４５の隙間寸法よりも若干大きくし、これによって、挿入部４５内に第２側壁部６１を圧入した際に両者が強固に固定するように構成している。なお、第１本体部３１と第２本体部５１間は他の係合構造や接着材等によって一体化しても良い。
【００２３】
口巻き覆い部材７０は合成樹脂の成形品であり、円筒状に形成されている。口巻き覆い部材７０の下側の開口７３の内径寸法は、前記第１本体部３１の突出部３７の外径寸法よりも少し大きい寸法に形成されている。また口巻き覆い部材７０の上側の開口７５の内径寸法は、下側の開口７３の内径寸法よりも所定寸法大きく形成されている。また口巻き覆い部材７０の内周側面には、その内側に突出するように、所定の間隔で複数本係止爪７１が、リング状に設けられている。各係止爪７１は、下側に向かって徐々に傾斜しながら内周側に突出していくように形成されている。そして、各係止爪７１の先端を結ぶ円の内径寸法は、前記突出部３７の外径寸法よりも小さく、口巻き支持部４３の外径寸法よりも大きくなるように構成されている。各係止爪７１の内周側の面は、その縦断面が略円弧状になるように、湾曲しており、上側から下側に向けてその傾斜角度が徐々に大きくなるような湾曲面となっている。
【００２４】
次に風船本体１０の口巻き１１に口筒２０を取り付ける取付方法について説明する。まず図３において、口筒本体３０の上端側の外周に、風船本体１０の口巻き１１を広げて装着する。口巻き１１は、図６に示すように、突出部５７を乗り越えて口巻き取付部２１内に挿入・装着される。口巻き１１は口巻き取付部２１の底面（即ち口巻き支持部４３の外周面）に弾接される。
【００２５】
次に、口筒本体３０の下端側から、口巻き覆い部材７０を挿入・装着する。このとき口巻き覆い部材７０の開口７３，７５に、口筒本体３０の第１側壁部４１を挿入し、さらに突出部３７を乗り越えさせる。その際、突出部３７の外径寸法は、口巻き覆い部材７０の各係止爪７１の先端を結ぶ円の内径寸法よりも小さいので、各係止爪７１自体の弾性変形と、口巻き覆い部材７０の径方向の弾性拡大によって、スナップイン方式で突出部３７を乗り越えさせ、図２に示すように、各係止爪７１を突出部３７の係止部３９に係止させる。このとき同時に、口巻き覆い部材７０の内周面によって、前記装着した口巻き１１が少し押し潰されて変形し、且つ口巻き１１の外周は口巻き覆い部材７０によって覆われ、これによって口巻き１１の離脱が確実に防止される。言い換えれば、口巻き支持部４３の外周面と一対の突出部３７，５７と口巻き覆い部材７０とによって囲まれた空間内に口巻き１１が収納されるので、口巻き１１の離脱が確実に防止される。これによって口筒２０が風船本体１０から外れて誤飲される恐れを確実に防止できる。また口筒２０は、口筒本体３０の外周に口巻き覆い部材７０を装着するだけで構成されるので、構造が簡単で組立も容易である。
【００２６】
またこの口筒２０においては、上述のように、凹部からなる口巻き取付部２１の一方（下側）の側壁を係止部３９として、この係止部３９に口巻き覆い部材７０の係止爪７１を係止するだけで両者を一体化できるので、口筒本体３０への口巻き覆い部材７０の装着は、この点からも容易に行える。さらに係止爪７１は、口巻き覆い部７０の内側に突出するように、所定の間隔で複数本リング状に設けられているので、１つの爪をリング状に口巻き覆い部７０の内周面に設ける場合に比べて、口筒本体３０へ口巻き覆い部材７０を装着する際に係止爪７１が外方に広がり易くなり（広がる弾性力が大きくなり）、より口巻き覆い部材７０の口筒本体３０への装着が行い易くなる。さらに口巻き１１には、係止爪７１のある部分と無い部分によるリング状に連続する凹凸が押し付けられるため、口巻き１１の回転方向の滑りも確実に防止できる。さらに口巻き１１はその太さの太いものと細いもののバラつきが大きいが、前記凹凸の凹内の空間でそのバラツキを吸収できる。つまり、たとえ製品によって口巻き１１の太さが異なっても、口筒本体３０に口巻き覆い部材７０が装着し難くなることはなく、前記バラつきに対応できる。
【００２７】
さらに上記口筒本体３０においては、口巻き取付部２１を構成する凹部内の突出部３７の側壁の外径寸法よりも、これに対向する突出部５７の側壁の外径寸法を大きくすることで、この突出部５７の側壁をストッパ部５９としたので、口巻き覆い部材７０を突出部３７側から口筒本体３０の外周に挿入してその係止爪７１を係止部３９に係止させる際に、このストッパ部５９が口巻き覆い部材７０の端面に風船本体１０を介して当接する。このため口巻き覆い部材７０を口筒本体３０の外周に挿入してその係止爪７１を係止部７１に係止する際に、勢い余って、挿入した口巻き覆い部材７０が口筒本体３０の外周を通り抜けて反対側に離脱してしまう恐れを確実に防止できる。即ち、突出部５７は、風船本体１０を取り付ける取付機能と、口巻き覆い部材７０の装着時にこれを反対側に離脱させないようにする離脱防止機能とを併せ持つ。
【００２８】
以上本考案の実施形態を説明したが、本考案は上記実施形態に限定されるものではなく、実用新案登録請求の範囲、及び明細書と図面に記載された技術的思想の範囲内において種々の変形が可能である。なお直接明細書及び図面に記載がない何れの形状や構造や材質であっても、本願考案の作用・効果を奏する以上、本願考案の技術的思想の範囲内である。例えば、上記例では、口筒本体を略円筒状に形成したが、多角形状等、他の各種形状で構成しても良い。また、上記口筒本体３０は、２つの成形部品で構成したが、１つの部品で構成しても良いし、３つ以上の部品で構成しても良い。
【符号の説明】
【００２９】
１  口筒付き風船
１０  風船本体
１１  口巻き
２０  口筒
２１  口巻き取付部
３０  口筒本体
３１  第１本体部
３７  突出部
３９  係止部
５１  第２本体部
５７  突出部
５９  ストッパ部
７０  口巻き覆い部材
７１  係止爪
【図１】
0003190100.tif 000003
【図２】
0003190100.tif 000004
【図３】
0003190100.tif 000005
【図４】
0003190100.tif 000006
【図５】
0003190100.tif 000007
【図６】
0003190100.tif 000008